(57)【要約】【課題】印字装置を内蔵する屋外据置機において、印字されたシートが長くても雨に濡れないようにする。【解決手段】用紙排出機構は、印字装置を内蔵する屋外据置機に設けられており、用紙取り出し口と扉と用紙通路とガイドとを備えている。扉は、用紙取り出し口を通常閉じており外力が加えられると開く。用紙通路は、印字装置から用紙取り出し口へ送り出された用紙を内向きにカールするように癖を付ける。ガイドは、用紙通路から鉛直方向を経て用紙取り出し口の奥へ向かう形状となっている。【選択図】図５
2020059563.tif 000002
【特許請求の範囲】
【請求項１】
印字装置を内蔵する屋外据置機に設けられた用紙排出機構であって、
用紙取り出し口と、
前記用紙取り出し口を通常閉じており外力が加えられると開く扉と、
前記印字装置から前記用紙取り出し口へ送り出された用紙を内向きにカールするように癖を付ける用紙通路と、
前記用紙通路から鉛直方向を経て前記用紙取り出し口の奥へ向かう形状のガイドと、
を備えた用紙排出機構。
【請求項２】
前記用紙通路は、水平方向から鉛直方向へ円弧状にカーブするカーブ部を備える、
請求項１に記載の用紙排出機構。
【請求項３】
前記ガイドは、鉛直方向から前記用紙取り出し口の奥へとカーブするアール部を備え、
前記アール部の曲率半径は、前記カーブ部の曲率半径より大きい、
請求項２に記載の用紙排出機構。
【請求項４】
前記ガイドは、前記用紙取り出し口の幅方向に間隔をあけて並べられた複数のリブである、
請求項１〜３のいずれか１項に記載の用紙排出機構。
【請求項５】
前記扉は、前記印字装置から送り出された用紙によって開くことのないように調整されている、
請求項１〜４のいずれか１項に記載の用紙排出機構。
【請求項６】
前記屋外据置機は、屋外据置用の宅配ロッカーである、
請求項１〜５のいずれか１項に記載の用紙排出機構。
【発明の詳細な説明】
【技術分野】
【０００１】
本明細書では、用紙排出機構を開示する。
【背景技術】
【０００２】
印字装置を内蔵するロッカーが知られている。例えば特許文献１に開示されたロッカーは、印字装置で印字されたシートのうち所定の部位（暗証番号が印字されている部位）より先の部分はシート排出口から露出するが、所定の部位はシート排出口から露出しないようにする。
【先行技術文献】
【特許文献】
【０００３】
【特許文献１】特開２００６−２８３３５０号公報
【発明の概要】
【発明が解決しようとする課題】
【０００４】
ところで、印字装置を内蔵する屋外据置機においては、印字装置で印字されたシートが雨に濡れないようにする必要がある。その場合、扉で閉鎖された用紙取り出し口の内部に印字されたシートを収めることが考えられるが、シートが長いと用紙取り出し口の内部に収まりきらないことがあった。
【０００５】
本開示はこのような課題を解決するためになされたものであり、印字装置を内蔵する屋外据置機において、印字されたシートが長くても雨に濡れないようにすることを主目的とする。
【課題を解決するための手段】
【０００６】
本開示の用紙排出機構は、
印字装置を内蔵する屋外据置機に設けられた用紙排出機構であって、
用紙取り出し口と、
前記用紙取り出し口を通常閉じており外力が加えられると開く扉と、
前記印字装置から前記用紙取り出し口へ送り出された用紙が内向きにカールするように癖を付ける用紙通路と、
前記用紙通路から鉛直方向を経て前記用紙取り出し口の奥へ向かう形状のガイドと、
を備えたものである。
【０００７】
この用紙排出機構では、通常、扉が用紙取り出し口を閉じている。そのため、雨が用紙取り出し口に入ることは扉によって防止されている。印字装置で印字された用紙は、用紙通路を通過するときに内向きにカールされたあと、ガイドに誘導されて用紙通路から鉛直方向を経て用紙取り出し口の奥へ向かう。そのため、印字された用紙が用紙取り出し口の上下方向の長さより長くても、用紙取り出し口の外へ向かいにくく、用紙取り出し口の内部に収まりやすい。したがって、印字された用紙が雨に濡れるのを防止することができる。
【図面の簡単な説明】
【０００８】
【図１】宅配ロッカー１０の斜視図。
【図２】用紙排出機構４０及び印字装置６０を前後方向及び上下方向を含む面で切断したときの断面図。
【図３】用紙排出機構４０の正面図。
【図４】用紙排出機構４０の斜視図。
【図５】図３のＡ−Ａ断面図。
【発明を実施するための形態】
【０００９】
本開示を実施するための形態について図面を参照しながら説明する。図１は宅配ロッカー１０の斜視図、図２は用紙排出機構４０及び印字装置６０を前後方向及び上下方向を含む面で切断したときの断面図、図３は用紙排出機構４０の正面図、図４は用紙排出機構４０の斜視図、図５は図３のＡ−Ａ断面図である。なお、本実施形態において、左右方向、前後方向及び上下方向は、図１に示した通りとする。
【００１０】
宅配ロッカー１０は、屋外据置型であり、図１に示すように、複数の保管庫２０と、操作ユニット３０とを備える。
【００１１】
保管庫２０は、荷物を保管可能なボックスである。保管庫２０は、宅配ロッカー１０の上下左右に複数個ずつ並んで配置されているが、そのうちの一つは保管庫２０ではなく操作ユニット３０が配置されている。保管庫２０は、前面扉２１を開いて本体２０ａ内の空間に荷物を保管したり本体２０ａ内の荷物を取り出したりすることが可能となっている。
【００１２】
操作ユニット３０は、保管庫２０と同じサイズの本体３０ａの前面を覆う前面板３１と、本体３０ａ内に配置される制御装置５０と、同じく本体３０ａ内に配置される印字装置６０とを備える。
【００１３】
前面板３１は、タッチパネル３２と、カードリーダ３３と、用紙排出機構４０とを備える。タッチパネル３２は、荷物の保管や取り出しに関する操作案内などを表示したり、荷物の保管や取り出しに関する入力操作などを受け付けたりする。カードリーダ３３は、荷物の配達者や受取者・依頼者の識別情報などが登録されたＩＣカードなどを読み取るものである。用紙排出機構４０は、印字装置６０で印字された用紙Ｐを用紙取り出し口４３に送り出す機構である。前面板３１には、その他に、荷物の配達伝票や受取者の携帯端末などに示された各種コードを読み取るコードリーダなどを備えていてもよい。
【００１４】
制御装置５０は、周知のＣＰＵなどを含むマイクロプロセッサであり、タッチパネル３２からの操作信号やカードリーダ３３からの読取信号を入力し、タッチパネル３２への表示信号や印字装置６０への駆動信号を出力する。また、制御装置５０は、各保管庫２０の前面扉２１の開閉を検出する図示しないセンサからの検出信号や本体２０ａ内の物品の有無を検出する図示しないセンサからの検出信号を入力したり、各保管庫２０の前面扉２１の施錠装置への施錠信号や解錠信号などを出力したりする。
【００１５】
印字装置６０は、図２に示すように、芯棒６１に巻かれた用紙Ｐが搬送ローラ６３によって印字部６４に供給されると、印字部６４が用紙Ｐに各種情報の印字を行うと共に、印字された用紙Ｐを送出ローラ６５によって用紙排出機構４０の挿入部４２へ送り出す。また、印字装置６０は、所定の情報の印字が終了すると、オートカッタ６６により用紙Ｐをカットする。なお、印字装置６０は、どのような方式で印字するものでもよく、例えばドットインパクトプリンタでもよいしインクジェットプリンタでもよい。
【００１６】
ここで、用紙排出機構４０について図３〜図５を用いて詳しく説明する。用紙排出機構４０は、排出機構本体４１と、用紙取り出し口４３と、扉４４と、用紙通路４７（図５）と、ガイド４８とを備える。
【００１７】
排出機構本体４１は、内部に用紙取り出し口４３や用紙通路４７が形成された筐体である。
【００１８】
用紙取り出し口４３は、印字装置６０から送り出された用紙Ｐを収納する空間である。具体的には、用紙取り出し口４３は、図５に示すように、閉位置にある扉４４と排出機構本体４１の背部４１ａとの間の奥行きの小さい空間４３ａの下方から水平後ろ向きへ奥行きのある空間４３ｂが繋がったＬ字空間である。
【００１９】
扉４４は、用紙取り出し口４３の前面開口を開閉するものである。扉４４は、用紙取り出し口４３の上部で左右方向に延びる扉支持板４５にネジ止めされている。扉支持板４５は、排出機構本体４１に回動可能に取り付けられた水平軸４６と一体化されている。そのため、扉４４は水平軸４６を中心として前後方向に回動する。扉４４は、通常は用紙取り出し口４３の前面開口を自重によって閉じているが、利用者が扉４４の下辺に設けられた切欠４４ａに指を引っ掛けて手前に引く外力を加えると前方に回動して用紙取り出し口４３の前面開口が開放される。扉４４の重さは、印字装置６０から送り出されてきた用紙Ｐによって押されて動くことのないように設定されている。
【００２０】
用紙通路４７は、スリット状の挿入部４２から用紙取り出し口４３までの間の通路であり、排出機構本体４１に設けられている。用紙通路４７は、その途中に水平方向から鉛直方向へ円弧状にカーブするカーブ部４７ａを備える。印字装置６０から送り出された用紙Ｐは、挿入部４２からカーブ部４７ａを通って用紙取り出し口４３へ送り出されるが、カーブ部４７ａを通過した後、カーブ部４７ａの形状に沿って内向きにカールする。
【００２１】
ガイド４８は、排出機構本体４１の背部４１ａに設けられた上下方向に延びるリブであり、左右方向（用紙取り出し口４３の幅方向）に間隔をあけて複数設けられている。ガイド４８は、用紙通路４７のカーブ部４７ａの下面を形成するカーブ形成部４８ａと、カーブ形成部４８ａから鉛直下方向に延びたあと用紙取り出し口４３の後方（奥）へとカーブするアール部４８ｂとを備える。アール部４８ｂの曲率半径は、カーブ部４７ａの曲率半径より大きい。
【００２２】
次に、宅配ロッカー１０の使用例について説明する。
【００２３】
まず、宅配された荷物を受取者が取り出すときの一例を以下に説明する。受取者は、タッチパネル３２で荷物の取り出しボタンを選択し、カードリーダ３３のスロットにカードを差し込む。すると、カードリーダ３３がカードの情報を読み取り、その読み取り情報を制御装置５０に送信する。制御装置５０は、その読み取り情報に基づいて、その受取者が正規契約者であってその受取者宛の荷物が保管庫２０に入っているか否かを判定し、肯定判定だったならば、その受取者宛の荷物が入っている保管庫２０の前面扉２１を解錠する。受取者は解錠された前面扉２１を開き、その保管庫２０の本体２０ａに入っている荷物を取り出し、前面扉２１を閉じる。
【００２４】
続いて、宅配依頼者が荷物の宅配を依頼するときの一例を以下に説明する。依頼者は、宅配用の送り状に送り先の住所、氏名等を記入すると共に送り主の住所、氏名等を記入し、その送り状を荷物に貼り付ける。依頼者は、タッチパネル３２で保管ボタンを選択し、カードリーダ３３のスロットにカードを差し込む。すると、カードリーダ３３がカードの情報を読み取り、その読み取り情報を制御装置５０に送信する。制御装置５０は、その読み取り情報に基づいてその依頼者が正規契約者か否かを判定し、肯定判定だったならば、空いている保管庫２０の前面扉２１を解錠する。依頼者は解錠された前面扉２１を開き、送り状を貼付した荷物をその保管庫２０の本体２０ａに保管し、前面扉２１を閉じる。制御装置５０は、前面扉２１が閉じられたことを図示しないセンサからの信号に基づいて認識すると、前面扉２１を施錠し、印字装置６０を制御してその保管庫２０のロッカー番号と暗証番号を用紙Ｐに印字させる。依頼者は、その用紙Ｐを用紙排出機構４０の扉４４を開いて取り出し、宅配会社に携帯端末（又はパソコン）から荷物の宅配を依頼する。その際、依頼者は、宅配ロッカーの設置場所、ロッカー番号、暗証番号などの情報を入力し、宅配料金の支払を済ませる。その後、荷物の配達者は、その依頼者が入力した情報を利用して、宅配ロッカーの所定のロッカー番号に保管された荷物を取り出し、送り先にその荷物を配達する。
【００２５】
用紙排出機構４０では、通常、扉４４が用紙取り出し口４３の前面開口を閉じている。そのため、屋外に設定されている宅配ロッカー１０において、雨が用紙取り出し口４３に入ることは扉４４によって防止されている。印字装置６０で印字された用紙Ｐは、用紙通路４７を通過するときに内向きにカールされたあと、ガイド４８に誘導されて用紙通路４７から鉛直方向を経て用紙取り出し口４３の奥へ向かう。そのため、図５に示すように、印字された用紙Ｐが用紙取り出し口４３の上下方向の長さより長くても、用紙取り出し口４３の外へ向かいにくく、用紙取り出し口４３の内部に収まりやすい。例えば、用紙取り出し口４３の上下方向の長さが７０ｍｍ程度の場合、用紙Ｐが９０〜１００ｍｍ程度であっても用紙Ｐは用紙取り出し口４３の内部に収まる。
【００２６】
以上説明した本実施形態の用紙排出機構４０によれば、印字された用紙Ｐが用紙取り出し口４３の上下方向の長さより長くても、その用紙Ｐが雨に濡れるのを防止することができる。
【００２７】
また、用紙通路４７はカーブ部４７ａを備えているため、用紙Ｐはカーブ部４７ａを通過したあと容易に内向きにカールした形状になる。
【００２８】
更に、ガイド４８は曲率半径がカーブ部４７ａより大きなアール部４８ｂを備えているため、アール部４８ｂやその周辺で用紙Ｐの先端が引っかかって紙詰まりが発生することを回避できる。
【００２９】
更にまた、ガイド４８は用紙取り出し口４３の幅方向に間隔をあけて並べられた複数のリブであるため、ガイド４８が平面状に形成されている場合に比べて用紙Ｐとの接触面積が小さくなる。そのため、ガイド４８と用紙Ｐとの間で摩擦が起きにくく、用紙Ｐをスムーズに送ることができる。
【００３０】
そしてまた、扉４４は印字装置６０から送り出された用紙Ｐによって開くことのないように調整されている。用紙取り出し口４３を閉じている扉４４に印字装置６０から送り出された用紙Ｐが接触したとしても、扉４４は用紙取り出し口４３を閉じたままのため、雨が用紙取り出し口４３に入るのを防止することができる。
【００３１】
そして更に、宅配ロッカー１０は、個人情報（住所、氏名）を用紙Ｐに印字することがある。そうした用紙Ｐは雨に濡れると印字が滲むことがあるため好ましくない。そのため、宅配ロッカー１０に用紙排出機構４０を適用する意義は高い。
【００３２】
なお、本発明は上述した実施形態に何ら限定されることはなく、本発明の技術的範囲に属する限り種々の態様で実施し得ることはいうまでもない。
【００３３】
例えば、上述した実施形態では、芯棒６１に巻かれた用紙Ｐ（つまりロール紙）に印字する場合を例示したが、特にロール紙に限定されるものではなく、単票用紙を用いてもよい。例えば、単票用紙として宅配用の送り状を用いて、印字装置６０がその送り状に送り先の住所、氏名等を印字すると共に送り主の住所、氏名等を印字するようにしてもよい。こうすれば、宅配用の送り状をその場で準備して荷物に貼り付けて宅配ロッカー１０に保管することができる。
【００３４】
上述した実施形態では、印字装置を内蔵した屋外据置機として宅配ロッカー１０を例示したが、宅配ロッカー１０以外の屋外据置機に用紙排出機構４０を適用してもよい。例えば、駐車場に併設される屋外設置の料金支払機に用紙排出機構４０を適用してもよい。
【００３５】
上述した実施形態では、扉４４は自重により常時（印字装置６０から送り出されてきた用紙Ｐによって押されたときも含む）閉位置になるようにしたが、ばねの付勢により常時閉位置になるようにしておき、利用者がばねの付勢に抗して扉４４を前方に引く外力を加えたときに開位置になるようにしてもよい。
【００３６】
本開示の用紙排出機構は、以下のように構成してもよい。
【００３７】
本開示の用紙排出機構において、前記用紙通路は、水平方向から鉛直方向へ円弧状にカーブするカーブ部を備えるようにしてもよい。こうすれば、用紙はカーブ部を通過したあと容易に内向きにカールした形状になる。この場合、前記ガイドは、鉛直方向から前記用紙取り出し口の奥へとカーブするアール部を備え、前記アール部の曲率半径は、前記カーブ部の曲率半径より大きくしてもよい。こうすれば、アール部はカーブ部に比べて緩やかなカーブであるため、アール部やその周辺で用紙の先端がひっかかって紙詰まりが発生することを回避できる。
【００３８】
本開示の用紙排出機構において、前記ガイドは、前記用紙取り出し口の幅方向に間隔をあけて並べられた複数のリブであってもよい。こうすれば、ガイドが平面状に形成されている場合に比べて用紙との接触面積が小さくなるため、ガイドと用紙との間で摩擦が起きにくく、用紙をスムーズに送ることができる。
【００３９】
本開示の用紙排出機構において、前記扉は、前記印字装置から送り出された用紙によって開くことのないように調整されていてもよい。こうすれば、通常、用紙取り出し口を閉じている扉に印字装置から送り出された用紙が接触したとしても、扉は用紙取り出し口を閉じたままのため、雨が用紙取り出し口に入るのを防止することができる。
【００４０】
本開示の用紙排出機構において、前記屋外据置機は、屋外据置用の宅配ロッカーであってもよい。宅配ロッカーは、個人情報（住所、氏名）を用紙に印字することがある。そうした用紙は雨に濡れると印字が滲むことがあるため好ましくない。そのため、宅配ロッカーに本開示の用紙排出機構を適用する意義は高い。
【産業上の利用可能性】
【００４１】
本発明は、印字装置を内蔵する屋外据置機に利用可能である。
【符号の説明】
【００４２】
１０  宅配ロッカー、２０  保管庫、２０ａ  本体、２１  前面扉、３０  操作ユニット、３０ａ  本体、３１  前面板、３２  タッチパネル、３３  カードリーダ、４０  用紙排出機構、４１  排出機構本体、４１ａ  背部、４２  挿入部、４３  用紙取り出し口、４３ａ  空間、４３ｂ  空間、４４  扉、４４ａ  切欠、４５  扉支持板、４６  水平軸、４７  用紙通路、４７ａ  カーブ部、４８  ガイド、４８ａ  カーブ形成部、４８ｂ  アール部、５０  制御装置、６０  印字装置、６１  芯棒、６３  搬送ローラ、６４  印字部、６５  送出ローラ、６６  オートカッタ。
【図１】
2020059563.tif 000003
【図２】
2020059563.tif 000004
【図３】
2020059563.tif 000005
【図４】
2020059563.tif 000006
【図５】
2020059563.tif 000007